(57)【要約】【課題】安定に装着でき、演奏動作に影響することが無いような三線用の消音ウマを提供することである。【解決手段】本発明は、少なくとも上面側及び下面側がゴム製ないし樹脂製であり、上面側には、三線の三本の弦（３１、３２、３３）がそれぞれ通過する通過空間（１１、１２、１３）を規定するべく、当該通過空間（１１、１２、１３）の周囲を少なくとも部分的に取り巻く凸状パターン（２１、２２、２３、２４）が形成されていることを特徴とする三線用の消音ウマである。【選択図】図１
2013083778.tif 000002
【特許請求の範囲】
【請求項１】
三線用の消音ウマであって、
少なくとも上面側及び下面側がゴム製ないし樹脂製であり、
上面側には、三線の三本の弦がそれぞれ通過する通過空間を規定するべく、当該通過空間の周囲を少なくとも部分的に取り巻く凸状パターンが形成されている
ことを特徴とする三線用の消音ウマ。
【請求項２】
前記凸状パターンは、三線の三本の弦の通過空間に隣接する４領域のそれぞれに設けられている
ことを特徴とする請求項１に記載の三線用の消音ウマ。
【請求項３】
下面側にも、三線の三本の弦がそれぞれ通過する通過空間を規定するべく、当該通過空間の周囲を少なくとも部分的に取り巻く凸状パターンが形成されている
ことを特徴とする請求項１または２に記載の三線用の消音ウマ。
【請求項４】
キーホルダー用のリングが付属されている
ことを特徴とする請求項１乃至３のいずれかに記載の三線用の消音ウマ。
【請求項５】
弦楽器用の消音ウマであって、
少なくとも上面側及び下面側がゴム製ないし樹脂製であり、
上面側には、対応する弦楽器の複数本の弦がそれぞれ通過する通過空間を規定するべく、当該通過空間の周囲を少なくとも部分的に取り巻く凸状パターンが形成されている
ことを特徴とする弦楽器用の消音ウマ。
【請求項６】
前記凸状パターンは、対応する弦楽器の複数本の弦の通過空間に隣接する領域のそれぞれに設けられている
ことを特徴とする請求項５に記載の弦楽器用の消音ウマ。
【請求項７】
下面側にも、対応する弦楽器の複数本の弦がそれぞれ通過する通過空間を規定するべく、当該通過空間の周囲を少なくとも部分的に取り巻く凸状パターンが形成されている
ことを特徴とする請求項５または６に記載の弦楽器用の消音ウマ。
【請求項８】
キーホルダー用のリングが付属されている
ことを特徴とする請求項５乃至７のいずれかに記載の弦楽器用の消音ウマ。
【発明の詳細な説明】
【技術分野】
【０００１】
本発明は、三線用の消音ウマに関する。
【背景技術】
【０００２】
三線は、沖縄文化（琉球文化）を代表する弦楽器として広く知られており、棹（ソー：長細い棒状の部位）と胴（チーガ：太鼓状の部位）とからなる本体に、三本の弦が張設されていて、胴（チーガ）と三本の弦との間に駒（ウマ）が差し込まれた状態で、山羊や水牛の角等からなる爪・撥（チミ・バチ）を用いて弦がつま弾かれることで、演奏される。
【０００３】
駒（ウマ）は、通常、竹製や牛骨製である。
【発明の概要】
【発明が解決しようとする課題】
【０００４】
通常の演奏の際には、前記のように、駒（ウマ）が胴（チーガ）と三本の弦との間に差し込まれるが、自宅での演奏練習時などにおいて音量を下げたい場合には、消音ウマと呼ばれる木製のウマが差し込まれる。
【０００５】
しかしながら、従来の木製の消音ウマは、胴（チーガ）の全体に対応する大きさになっているため、演奏動作に影響があるとして評判が悪かった。
【０００６】
一方、木製の消音ウマのサイズを単に小さくしたのでは、装着状態が不安定になってしまうという問題があった。
【０００７】
本発明は、以上のような問題点に着目し、これを有効に解決すべく創案されたものである。本発明の目的は、安定に装着でき、演奏動作に影響することが無いような三線用の消音ウマを提供することである。また、三線用から発展して、一般の弦楽器に対しても、安定に装着でき、演奏動作に影響することが無いような消音ウマを提供することである。
【課題を解決するための手段】
【０００８】
本発明は、三線用の消音ウマであって、少なくとも上面側及び下面側がゴム製ないし樹脂製であり、上面側には、三線の三本の弦がそれぞれ通過する通過空間を規定するべく、当該通過空間の周囲を少なくとも部分的に取り巻く凸状パターンが形成されていることを特徴とする三線用の消音ウマである。
【０００９】
本発明の三線用の消音ウマによれば、胴（チーガ）ないし三本の弦と当接する上面側及び下面側がゴム製ないし樹脂製であり、且つ、三本の弦の通過空間の周囲を少なくとも部分的に取り巻くように凸状パターンが形成されているため、装着状態が極めて安定する。これにより、消音ウマのサイズを胴（チーガ）の全体に対してずっとコンパクトにすることが可能となり、演奏動作に影響を与えるおそれが無くなる。更に、胴（チーガ）ないし三本の弦と当接する上面側及び下面側がゴム製ないし樹脂製であるために、胴（チーガ）ないし三本の弦に傷がつくおそれも回避される。
【００１０】
好ましくは、前記凸状パターンは、三線の三本の弦の通過空間に隣接する４領域のそれぞれに設けられる。この場合、三本の弦の通過空間を取り巻く凸状パターンがバランス良く形成されることになるため、装着状態がより一層安定する。
【００１１】
また、好ましくは、下面側にも、三線の三本の弦がそれぞれ通過する通過空間を規定するべく、当該通過空間の周囲を少なくとも部分的に取り巻く凸状パターンが形成される。この場合、上面側が磨耗等で損傷した後で、下面側を裏返して利用することができる。すなわち、事実上２倍の製品寿命を実現することができる。また、上面側と下面側とで各種寸法を異ならせることにより、１製品で２パターンの消音効果を提供することも可能であし、異なる弦高の楽器２種に対応させることも可能である。
【００１２】
また、好ましくは、キーホルダー用のリングが付属されている。これにより、携帯性が向上し、紛失のおそれも低減される。
【００１３】
以上の構成は、三線用に開発されたものであるが、ウクレレのような他の弦楽器に対しても有効である。
【００１４】
すなわち、本発明は、弦楽器用の消音ウマであって、少なくとも上面側及び下面側がゴム製ないし樹脂製であり、上面側には、対応する弦楽器の複数本の弦がそれぞれ通過する通過空間を規定するべく、当該通過空間の周囲を少なくとも部分的に取り巻く凸状パターンが形成されていることを特徴とする弦楽器用の消音ウマである。
【００１５】
本発明の弦楽器用の消音ウマによれば、上面側及び下面側がゴム製ないし樹脂製であり、且つ、対応する弦楽器の複数本の弦の通過空間の周囲を少なくとも部分的に取り巻くように凸状パターンが形成されているため、装着状態が極めて安定する。更に、弦楽器と当接する上面側及び下面側がゴム製ないし樹脂製であるために、弦楽器に傷がつくおそれも回避される。
【００１６】
好ましくは、前記凸状パターンは、対応する弦楽器の複数本の弦の通過空間に隣接する領域のそれぞれに設けられる。この場合、対応する弦楽器の複数本の弦の通過空間を取り巻く凸状パターンがバランス良く形成されることになるため、装着状態がより一層安定する。
【００１７】
また、好ましくは、下面側にも、対応する弦楽器の複数本の弦がそれぞれ通過する通過空間を規定するべく、当該通過空間の周囲を少なくとも部分的に取り巻く凸状パターンが形成される。この場合、上面側が磨耗等で損傷した後で、下面側を裏返して利用することができる。すなわち、事実上２倍の製品寿命を実現することができる。また、上面側と下面側とで各種寸法を異ならせることにより、１製品で２パターンの消音効果を提供することも可能であし、異なる弦高の楽器２種に対応させることも可能である。
【発明の効果】
【００１８】
本発明によれば、安定に装着でき、演奏動作に影響することが無いような三線用の消音ウマを提供することができる。そして、これから発展して、安定に装着でき、演奏動作に影響することが無いような弦楽器用の消音ウマを提供することができる。
【図面の簡単な説明】
【００１９】
【図１】本発明の一実施の形態の三線用の消音ウマの斜視図である。
【図２】図１の三線用の消音ウマの使用状態を示す概略図である。
【図３】本発明の他の実施の形態の三線用の消音ウマの斜視図である。
【図４】本発明の更に他の実施の形態の三線用の消音ウマの斜視図である。
【図５】本発明の更に他の実施の形態の三線用の消音ウマの斜視図である。
【発明を実施するための形態】
【００２０】
以下に、本発明に係る三線用の消音ウマの実施の形態を、添付図面に基づいて詳述する。図１は、本発明の一実施の形態の三線用の消音ウマの斜視図であり、図２は、図１の三線用の消音ウマの使用状態を示す概略図である。図３は、本発明の他の実施の形態の三線用の消音ウマの斜視図であり、図４は、本発明の更に他の実施の形態の三線用の消音ウマの斜視図であり、図５は、本発明の更に他の実施の形態の三線用の消音ウマの斜視図である。
【００２１】
図１の実施の形態の三線用の消音ウマ１０は、全体として、三線のミニチュアのような形態を有している。また、本実施の形態の消音ウマ１０は、全体がゴム製である。
【００２２】
本実施の形態の消音ウマ１０の上面側には、図１に示すように、三線の三本の弦３１、３２、３３がそれぞれ通過する通過空間１１、１２、１３を規定するべく、当該通過空間１１、１２、１３の周囲を取り巻く凸状パターン２１、２２、２３、２４が形成されている。図１に示すように、三本の弦３１、３２、３３の方向は平行から少しずれているため、通過空間１１、１２、１３も互いに平行ではない。
【００２３】
本実施の形態の凸状パターン２１、２２、２３、２４は、図１に示すように、三線の三本の弦３１、３２、３３の通過空間に隣接する４領域のそれぞれに設けられている。
【００２４】
また、本実施の形態では、詳細な図示は省略されているが、消音ウマ１０を図１の矢印方向に回転させた場合に現れる下面側の構成が、図１に示される上面側の構成と同様に形成されている。
【００２５】
また、図１に示されるように、本実施の形態の消音ウマ１０には、キーホルダー用のリング２９が付属されている。なお、本実施の形態の消音ウマ１０のサイズは、厚みＤが約８ｍｍ、長さＬが約９０ｍｍ、最大幅Ｗが約２７ｍｍである。すなわち、本実施の形態の消音ウマ１０は、キーホルダーとしての利用に適したサイズとなっている。
【００２６】
次に、本実施の形態の作用について説明する。本実施の形態の消音ウマ１０は、図２に示すように、三線の胴（チーガ）と三本の弦３１、３２、３３との間に差し込まれて使用される。この時、三本の弦３１、３２、３３が、通過空間１１、１２、１３を通過するように（通過空間１１、１２、１３に収まるように）位置決めされる。このように差し込まれた消音ウマ１０は、サイズがキーホルダー並みにコンパクトであっても装着状態が極めて安定であり、十分な消音効果を発揮できる。
【００２７】
上面側の凸状パターン２１、２２、２３、２４が磨耗等で損傷した後には、下面側を裏返すことで、同様に形成された下面側の凸状パターンを弦に当接させて利用することができる。すなわち、事実上２倍の製品寿命を実現することができる。上面側の凸状パターン２１、２２、２３、２４と下面側の凸状パターンとを適宜に裏返して交互に弦に当接させてもよい。
【００２８】
また、キーホルダー用のリング２９を利用することで、携帯性が向上し、紛失のおそれも低減される。
【００２９】
以上のように、本実施の形態によれば、胴（チーガ）ないし三本の弦と当接する上面側及び下面側がいずれもゴム製であり、且つ、三本の弦の通過空間１１、１２、１３の周囲を取り巻くように凸状パターン２１、２２、２３、２４が形成されているため、装着状態が極めて安定する。これにより、消音ウマ１０のサイズを胴（チーガ）の全体に対してずっとコンパクトにすることが可能となり、演奏動作に影響を与えるおそれが無くなる。更に、胴（チーガ）ないし三本の弦３１、３２、３３と当接する上面側及び下面側がゴム製であるために、胴（チーガ）ないし三本の弦３１、３２、３３に傷がつくおそれも回避される。
【００３０】
また、本実施の形態によれば、凸状パターン２１、２２、２３、２４が三線の三本の弦３１、３２、３３の通過空間に隣接する４領域のそれぞれに設けられているため、三本の弦３１、３２、３３の通過空間を取り巻く凸状パターン２１、２２、２３、２４がバランス良く形成されていて、装着状態がより一層安定である。
【００３１】
また、本実施の形態によれば、下面側にも、三線の三本の弦３１、３２、３３がそれぞれ通過する通過空間を規定するべく、当該通過空間の周囲を取り巻く凸状パターンが形成されている。このため、上面側が磨耗等で損傷した後で、下面側を裏返して利用することができる。すなわち、事実上２倍の製品寿命を実現することができる。
【００３２】
なお、上面側と下面側とで各種寸法を異ならせることにより、１製品で２パターンの消音効果を提供することも可能であし、異なる弦高の楽器２種に対応させることも可能である。
【００３３】
次に、図３の実施の形態の三線用の消音ウマ６０について説明する。本実施の形態の消音ウマ６０は、凸状パターン６１、６２、６３、６４の形態が異なっているたけで、他の構成は図１の消音ウマ１０と同様である。図１の消音ウマ１０と同様の構成部分については、説明を省略する。
【００３４】
凸状パターン６１、６２、６３、６４は、三線の三本の弦３１、３２、３３がそれぞれ通過する通過空間１１、１２、１３を規定するが、当該通過空間の周囲を完全には取り巻かず、部分的にのみ取り巻いている。このような形態であっても、図１の消音ウマ１０と同様の作用効果を発揮できる。従って、凸状パターン６１、６２、６３、６４において、様々な装飾を彫り込むことが可能である。
【００３５】
次に、図４の実施の形態の三線用の消音ウマ７０について説明する。本実施の形態の消音ウマ７０は、全体の形状が三線のミニチュアのような形態ではなく、ゴーヤのミニチュアような形態となっているたけで、他の構成は図１の消音ウマ１０と略同様である。図１の消音ウマ１０と同様の構成部分については、説明を省略する。
【００３６】
このような形態であっても、図１の消音ウマ１０と同様の作用効果を発揮できる。従って、様々な形態に製品展開することが可能である。図５のように、平面的にゴーヤを摸した形態を採用することもできる。
【００３７】
以上の実施の形態の説明は、三線用の消音ウマについてなされている。しかしながら、対応する弦の本数、すなわち、凸状パターンによって取り巻く通過空間の数を変更することで、ウクレレのような他の弦楽器に対する消音ウマを提供することも可能である。
【符号の説明】
【００３８】
１０、６０、７０、７０’  消音ウマ
１１、１２、１３  通過空間
２１、２２、２３、２４  凸状パターン
３１、３２、３３  三線の弦
６１、６２、６３、６４  凸状パターン
【図１】
2013083778.tif 000003
【図２】
2013083778.tif 000004
【図３】
2013083778.tif 000005
【図４】
2013083778.tif 000006
【図５】
2013083778.tif 000007